(57)【要約】【課題】ソフトハンドオーバー時に端末の送信電力を制御するため、各無線リンクからのＴＰＣ命令を信頼性を有するように決定及び結合する無線リンクの電力制御方法を提供しようとする。【解決手段】アップリンクの送信電力を制御する無線システムであって、各無線リンクの品質によって信頼性を決定する段階と、前記決定された信頼性に基づいて、結合された送信電力制御（Ｔｒａｎｓｍｉｔ  Ｐｏｗｅｒ  Ｃｏｎｔｒｏｌ；ＴＰＣ）命令値を設定する段階と、を順次行うことで、無線リンクの電力制御を行う。【選択図】図１
2004215260.tif 000002
【特許請求の範囲】
【請求項１】
アップリンクの送信電力を制御する無線システムであって、
各無線リンクの品質によって信頼性を決定する段階と、
前記決定された信頼性に基づいて、結合された送信電力制御（Ｔｒａｎｓｍｉｔ  Ｐｏｗｅｒ  Ｃｏｎｔｒｏｌ；以下、ＴＰＣと略称す）命令値を設定する段階と、
を順次行うことを特徴とする無線リンクの電力制御方法。
【請求項２】
前記無線リンクの品質によって信頼性を決定する段階は、
各無線リンクの品質を測定する段階と、
測定された無線リンクの品質と任意の基準値とを比較する段階と、
前記比較結果によって無線リンクの信頼性を決定する段階と、
からなることを特徴とする請求項１記載の無線リンクの電力制御方法。
【請求項３】
前記無線リンクの信頼性を決定する段階は、
無線リンクの品質が任意の基準値より大きいと、無線リンクの信頼性を１に決定することを特徴とする請求項２記載の無線リンクの電力制御方法。
【請求項４】
前記無線リンクの信頼性を決定する段階は、
無線リンクの品質が任意の基準値より小さいと、無線リンクの信頼性を０に決定することを特徴とする請求項２記載の無線リンクの電力制御方法。
【請求項５】
前記無線リンクの品質は、
信号対干渉比であることを特徴とする請求項１記載の無線リンクの電力制御方法。
【請求項６】
前記各無線リンクの信頼性は、
各無線リンクのＴＰＣ命令値であることを特徴とする請求項１記載の無線リンクの電力制御方法。
【請求項７】
前記無線リンクの品質によって信頼性を決定する段階は、
全ての無線リンクセットの各無線リンクの信頼性が決定されるまで繰り返して行われることを特徴とする請求項１記載の無線リンクの電力制御方法。
【請求項８】
前記結合されたＴＰＣ命令値を設定する段階は、
全ての無線リンクセットの各無線リンクの信頼性が全て１であると、結合されたＴＰＣ命令値を１に設定する段階を更に包含することを特徴とする請求項１記載の無線リンクの電力制御方法。
【請求項９】
前記結合されたＴＰＣ命令値を設定する段階は、
全ての無線リンクセットの各無線リンクの信頼性が何れか一つでも０であると、結合されたＴＰＣ命令値を−１に設定する段階を更に包含することを特徴とする請求項１記載の無線リンクの電力制御方法。
【請求項１０】
端末の送信電力を制御する移動通信システムであって、
無線リンクの品質を測定する段階と、
測定された無線リンクの品質によって各無線リンクの信頼性を決定する段階と、
全ての無線リンクセットの各無線リンクの信頼性が決定されるまで前記二つの段階を繰り返して行う段階と、
設定された全ての各無線リンクの信頼性の結果によって結合されたＴＰＣ命令値を決定する段階と、
を順次行うことを特徴とする無線リンクの電力制御方法。
【請求項１１】
前記無線リンクの品質は、
信号対干渉比であることを特徴とする請求項１０記載の無線リンクの電力制御方法。
【請求項１２】
前記無線リンクの信頼性は、
各無線リンクのＴＰＣ命令値であることを特徴とする請求項１０記載の無線リンクの電力制御方法。
【請求項１３】
前記無線リンクの品質によって各無線リンクの信頼性を決定する段階は、
測定された無線リンクの品質と任意の基準値とを比較する段階と、
前記比較結果によって無線リンクの信頼性を決定する段階と、
からなることを特徴とする請求項１０記載の無線リンクの電力制御方法。
【請求項１４】
前記無線リンクの信頼性は、
前記無線リンクの品質が任意の基準値より大きい場合１であることを特徴とする請求項１３記載の無線リンクの電力制御方法。
【請求項１５】
前記無線リンクの信頼性は、
前記無線リンクの品質が任意の基準値より小さい場合０であることを特徴とする請求項１３記載の無線リンクの電力制御方法。
【請求項１６】
前記結合されたＴＰＣ命令値は、
設定された全ての無線リンクセットの各無線リンクの信頼性が全て１の場合、１に決定されることを特徴とする請求項１０記載の無線リンクの電力制御方法。
【請求項１７】
前記結合されたＴＰＣ命令値は、
全ての無線リンクセットの各無線リンクに対し、何れか一つの無線リンクでもその信頼性が０の場合、−１に決定されることを特徴とする請求項１０記載の無線リンクの電力制御方法。
【発明の詳細な説明】
【技術分野】
【０００１】
本発明は、無線リンクの電力制御方法に係るもので、詳しくは、他の無線リンクからのＴＰＣ（Ｔｒａｎｓｍｉｔ  Ｐｏｗｅｒ  Ｃｏｎｔｒｏｌ）命令を効果的に決定及び結合する方法に関するものである。
【背景技術】
【０００２】
ＵＭＴＳ（Ｕｎｉｖｅｒｓａｌ  Ｍｏｂｉｌｅ  Ｔｅｒｒｅｓｔｒｉａｌ  Ｓｙｓｔｅｍ）は、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）システムから進化した第３世代移動通信システム（ＩＭＴ−２０００）であって、ＧＳＭ核心網（Ｃｏｒｅ  Ｎｅｔｗｏｒｋ）及びＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）技術に基づいてより向上した移動通信サービスを提供することを目標としている。且つ、１９９８年１２月、ヨーロッパのＥＴＳＩ、日本のＡＲＩＢ／ＴＴＣ、米国のＴ１及び韓国のＴＴＡにおいては、第３世代共同プロジェクト（Ｔｈｉｒｄ  Ｇｅｎｅｒａｔｉｏｎ  Ｐａｒｔｎｅｒｓｈｉｐ  Ｐｒｏｊｅｃｔ；以下、３ＧＰＰと略称す）というプロジェクトを構成して、現在までＵＭＴＳの細部的な標準明細書（ｓｐｅｃｉｆｉｃａｔｉｏｎ）を作成中である。
【０００３】
また、前記３ＧＰＰでは、ＵＭＴＳの迅速且つ効率的に技術開発するため、網構成要素及びそれらの動作に対する独立性を考慮して、標準化作業を五つの技術規格グループ（Ｔｅｃｈｎｉｃａｌ  Ｓｐｅｃｉｆｉｃａｔｉｏｎ  Ｇｒｏｕｐｓ；以下、ＴＳＧと略称す）に分けて進行している。且つ、それらＴＳＧは、関連領域内で標準規格の開発、承認及び管理を担当するが、そのうち無線接続網（Ｒａｄｉｏ  Ａｃｃｅｓｓ  Ｎｅｔｗｏｒｋ；ＲＡＮ）グループ（以下、ＴＳＧ−ＲＡＮグループと略称す）は、ＵＭＴＳにおいてＷＣＤＭＡ接続技術を支援するための新しいＲＡＮであるＵＭＴＳ無線網（Ｕｎｉｖｅｒｓａｌ  Ｍｏｂｉｌｅ  Ｔｅｌｅｃｏｍｍｕｎｉｃａｔｉｏｎｓ  Ｎｅｔｗｏｒｋ  Ｔｅｒｒｅｓｔｒｉａｌ  Ｒａｄｉｏ  Ａｃｃｅｓｓ  Ｎｅｔｗｏｒｋ；以下、ＵＴＲＡＮと略称す）の機能、要求事項及びインターフェースの規格を開発する。
【０００４】
前記ＴＳＧ−ＲＡＮグループは、全体会議グループ（Ｐｌｅｎａｒｙ  Ｇｒｏｕｐ）と四つの運営グループ（Ｗｏｒｋｉｎｇ  Ｇｒｏｕｐ）とから構成され、その中、第１運営グループは物理階層（第１階層）の規格を開発し、第２運営グループはデータリンク階層（第２階層）及びネットワーク階層（第３階層）の機能を規定する。また、第３運営グループはＵＴＲＡＮ内の基地局、無線網制御機（Ｒａｄｉｏ  Ｎｅｔｗｏｒｋ  Ｃｏｎｔｒｏｌｌｅｒ：ＲＮＣ）及び核心網間のインターフェースの規格を定め、第４運営グループでは無線資源を管理するために必要な無線リンクの性能及び項目に対する要求事項を議論する。
【０００５】
図４は、３ＧＰＰ無線接続網規格に基づいて動作される端末とＵＴＲＡＮ間で使用される無線接続プロトコル構造を示したブロック図で、図示されたように、無線接続インターフェースプロトコルは、物理階層（Ｐｈｙｓｉｃａｌ  Ｌａｙｅｒ：ＰＨＹ）、データリンク階層（Ｄａｔａ  Ｌｉｎｋ  Ｌａｙｅｒ）及びネットワーク階層（Ｎｅｔｗｏｒｋ  Ｌａｙｅｒ）により構成され、制御信号を伝達するための制御平面（Ｃｏｎｔｒｏｌ  Ｐｌａｎｅ）とデータ情報を伝送するための使用者平面（Ｕｓｅｒ  Ｐｌａｎｅ）とに区分される。該使用者平面は、音声やＩＰパケットの伝送のように使用者のトラフィック（ｔｒａｆｆｉｃ）情報が伝達される領域で、制御平面は、網のインターフェースや呼の維持及び管理のような制御情報が伝達される領域を示す。このように平面（Ｐｌａｎｅ）を二つに区分する理由は、多様なトラフィックに対し効果的に管理するためである。
【０００６】
また、前記プロトコル階層は、通信システムにおいて公知された開放型システム相互接続（Ｏｐｅｎ  Ｓｙｓｔｅｍ  Ｉｎｔｅｒｃｏｎｎｅｃｔｉｏｎ：ＯＳＩ）標準モデルの下位の三つの階層に基づいて第１階層（Ｌａｙｅｒ１）、第２階層（Ｌａｙｅｒ２）及び第３階層（Ｌａｙｅｒ３）に区分することができる。
【０００７】
それら三つの階層中、第１階層は、無線インターフェースのための物理階層として動作し、関連技術によって一つ以上の伝送チャンネル（Ｔｒａｎｓｍｉｓｓｉｏｎ  Ｃｈａｎｎｅｌ）を通して媒体接続制御（Ｍｅｄｉｕｍ  Ａｃｃｅｓｓ  Ｃｏｎｔｒｏｌ；以下、ＭＡＣと略称す）階層に接続される。このような第１階層（または物理階層）は、実際的な符号化（ｃｏｄｉｎｇ）、変調（ｍｏｄｕｌａｔｉｏｎ）、拡散（ｓｐｒｅａｄｉｎｇ）、インターリービング（ｉｎｔｅｒｌｅａｖｉｎｇ）などを行い、上位階層で容易に処理し得るようにプリミティブ（ｐｒｉｍｉｔｉｖｅ）として伝送するか、または受信する役割を遂行する。前記プリミティブは、相互作用（ｉｎｔｅｒａｃｔｉｏｎ）を表現する方法として、パラメーターをソフトウェア的に伝送することを意味する。
【０００８】
前記物理階層とＭＡＣ階層間のプリミティブは、要請プリミティブと指示プリミティブとに大別されるが、一般に、‘要請プリミティブ’は上位階層から下位階層に伝送するプリミティブで、‘指示プリミティブ’は下位階層から上位階層に伝送するプリミティブである。
【０００９】
また、このように物理階層からＭＡＣ階層に伝送されるプリミティブは、そのチャンネル情報によって、前方向チャンネル情報と逆方向チャンネル情報とに分けられる。前方向チャンネルは、基地局から端末機に伝送される情報チャンネルであって、物理階層で最初に情報を受信して上位階層に送る。また、逆方向チャンネルは、前方向チャンネルと逆に、端末機から基地局に伝送される情報チャンネルである。
【００１０】
図５は、ダウンリンクＤＰＣＨ（Ｄｅｄｉｃａｔｅｄ  Ｐｈｙｓｉｃａｌ  Ｃｈａｎｎｅｌ）フレームを示した構成図である。専用チャンネル（Ｄｅｄｉｃａｔｅｄ  Ｃｈａｎｎｅｌ）と共通チャンネル（Ｃｏｍｍｏｎ  Ｃｈａｎｎｅｌ）との区分は、一つの資源を与えられた時点で一人の加入者だけ使用し得るかの可否により決定される。例えば、トラフィック状態に適用されるチャンネルは専用チャンネルである。
【００１１】
且つ、ＤＰＣＨは、前述した情報チャンネルの一つであって、図示されたように、ＤＰＣＣＨ（Ｄｅｄｉｃａｔｅｄ  Ｐｈｙｓｉｃａｌ  Ｃｏｎｔｒｏｌ  Ｃｈａｎｎｅｌ）とＤＰＤＣＨ（Ｄｅｄｉｃａｔｅｄ  Ｐｈｙｓｉｃａｌ  Ｄａｔａ  Ｃｈａｎｎｅｌ）とに大別され、前記ＤＰＣＣＨは、第１階層から発生する制御情報を伝送するチャンネルで、前記ＤＰＤＣＨは、使用者のデータ情報を伝送するチャンネルであって、それらチャンネルは、一つの物理チャンネル内に一緒に時間マルチプレックスされる。また、アップリンクＤＰＣＣＨ及びアップリンクＤＰＤＣＨは、ＤＣＨ（Ｄｅｄｉｃａｔｅｄ  Ｃｈａｎｎｅｌ）伝送チャンネルを運搬（ｃａｒｒｙ）する役割をする。
【００１２】
一方、送信電力制御（Ｔｒａｎｓｍｉｔ  Ｐｏｗｅｒ  Ｃｏｎｔｒｏｌ；ＴＰＣ）命令は、前記ＤＰＣＣＨのフィールドの一つとして、ＣＰＩＣＨ（Ｃｏｍｍｏｎ  Ｐｉｌｏｔ  Ｃｈａｎｎｅｌ）と同様なダウンリンクチャンネルを経験する。よって、ＣＰＩＣＨの品質が低下するだけＤＰＣＣＨの品質も低下し、結局、復調化されたＴＰＣ命令の信頼度が低下する。このように信頼度が低下したＴＰＣ命令をそのまま使用すると、誤ったアップリンク電力制御により悪影響を及ぼす可能性が高くなるという問題点がある。
【００１３】
これに関連して前記３ＧＰＰに明示されたように、３ＧＰＰ  ＴＳ  ２５．２１４  Ｖ３．７．０（２００１−０６）  ５．１は、端末機の送信電力を制御するアップリンク電力制御（Ｕｐｌｉｎｋ  ｐｏｗｅｒ  ｃｏｎｔｒｏｌ）に関する内容で、そのうち、５．１．２．２．２及び５．１．２．２．３で、前記端末機の送信電力を調節するアップリンク電力制御は、アルゴリズム１とアルゴリズム２とに分けられる。このとき、他の無線リンクセットの無線リンクからの、即ち、ソフトハンドオーバー（ｓｏｆｔ  ｈａｎｄｏｖｅｒ）時にアップリンク電力制御を行う過程で各無線リンクからのＴＰＣ命令を結合する方法は、これを満足させるべき条件が規格に提示されている。
【００１４】
即ち、前記アップリンク電力制御のアルゴリズム１中、他の無線リンクセットの無線リンクからのＴＰＣ命令を結合する場合の、３ＧＰＰ  ＴＳ  ２５．２１４  Ｖ３．７．０（２００１−０６）  ５．１．２．２．２．３に提示された内容は次のようである。
【００１５】
端末機は、各無線リンクからの各電力制御命令ＴＰＣｉ（ｉ＝１，２，．．．，Ｎ；ここで、Ｎは、他の無線リンクセットの無線リンクからのＴＰＣ命令の個数を示したものである）に対し、ソフトシンボル決定（Ｓｏｆｔ  ｓｙｍｂｏｌ  ｄｅｃｉｓｉｏｎ）Ｗｉを行わなければならない。
【００１６】
結局、端末機は、結合されたＴＰＣ命令のＴＰＣ＿ｃｍｄを決定しなければならないが、これは、次の数学式のようなγ関数により決定される。
【００１７】
ＴＰＣ＿ｃｍｄ＝γ（Ｗ１，Ｗ２，．．．，ＷＮ）
上式中、ＴＰＣ＿ｃｍｄは１または−１の値を有する。
【００１８】
このとき、γ関数は次のような条件を満足するように具現すべきである。
【００１９】
全ての無線リンクセットからのＴＰＣ命令が信頼性のある１であるとγ関数の出力は１になり、無線リンクセット中何れか無線リンクからのＴＰＣ命令が信頼性のある０であるとγ関数の出力は−１になる。
【発明の開示】
【発明が解決しようとする課題】
【００２０】
然るに、このような従来の規格は、ソフトハンドオーバー時にアップリンク電力制御を行う過程で各無線リンクからのＴＰＣ命令を結合する方法に関する内容が明示されているが、γ関数に対し前記のように満足すべき条件のみが提示されているだけで、実際の具現方法に関しては提示されていないため、その具現技術を決定するとき、混乱が発生する憂いがあるという不都合な点があった。
【００２１】
従って、規格に提示された条件に合わせてＴＰＣ命令を信頼性を有するように決定及び結合する技術が要求されている。
【００２２】
本発明は、このような従来の課題に鑑みてなされたもので、ソフトハンドオーバー時に端末の送信電力を制御するため、各無線リンクからのＴＰＣ命令を信頼性を有するように決定及び結合する無線リンクの電力制御方法を提供することを目的とする。
【課題を解決するための手段】
【００２３】
このような目的を達成するため、本発明に係る無線リンクの電力制御方法においては、ソフトハンドオーバー時に端末の送信電力を制御するとき、他の無線リンクセットからのＴＰＣ命令決定過程で各無線リンクセットからのＴＰＣ命令を信頼性を有するように決定及び結合する方法を包含してなることを特徴とする。
【００２４】
且つ、本発明に係る無線リンクの電力制御方法においては、ＣＰＩＣＨの品質低下によるＴＰＣ命令の信頼度低下を防止するため、ＴＰＣ命令を結合する前に、まず、各無線リンクの品質を調査することで、各無線リンクの信頼性を調査することを特徴とする。
【００２５】
また、本発明に係る無線リンクの電力制御方法においては、無線リンクの品質と臨界値とを比較して各無線リンクのＴＰＣ命令値を設定する段階と、前記設定されたＴＰＣ命令値が全てのリンクに対し同様であるかを判断して結合されたＴＰＣ命令値を設定する段階と、を順次行うことを特徴とする。
【００２６】
また、前記無線リンクの品質は信号対雑音比のＥｂ／Ｎｏで、前記比較過程後、Ｅｂ／Ｎｏが臨界値より大きいと各無線リンクのＴＰＣ命令は１で、Ｅｂ／Ｎｏが臨界値より小さいと各無線リンクのＴＰＣ命令は０であることを特徴とする。このとき、臨界値は、品質を判別し得る基準となる値に予め設定される。
【００２７】
また、本発明に係る無線リンクの電力制御方法においては、全ての無線リンクセットの各無線リンクの信頼性が全て決定されるまで前記過程を繰り返して行う過程を更に包含することを特徴とする。
【００２８】
また、前記設定される全ての無線リンクセットの各無線リンクの信頼性が全て１の場合にのみ結合されたＴＰＣ命令を１に決定することを特徴とする。
【００２９】
また、前記決定される全ての無線リンクセット中何れか一つの無線リンクでも信頼性が０の場合、結合されたＴＰＣ命令を０に決定することを特徴とする。
【００３０】
本発明の無線リンクの電力制御方法は、アップリンクの送信電力を制御する無線システムであって、各無線リンクの品質によって信頼性を決定する段階と、前記決定された信頼性に基づいて、結合された送信電力制御（Ｔｒａｎｓｍｉｔ  Ｐｏｗｅｒ  Ｃｏｎｔｒｏｌ；以下、ＴＰＣと略称す）命令値を設定する段階と、を順次行うことを特徴とし、それにより上記目的が達成される。
前記無線リンクの品質によって信頼性を決定する段階は、各無線リンクの品質を測定する段階と、測定された無線リンクの品質と任意の基準値とを比較する段階と、前記比較結果によって無線リンクの信頼性を決定する段階と、からなることを特徴としてもよい。
前記無線リンクの信頼性を決定する段階は、無線リンクの品質が任意の基準値より大きいと、無線リンクの信頼性を１に決定することを特徴としてもよい。
【００３１】
前記無線リンクの信頼性を決定する段階は、無線リンクの品質が任意の基準値より小さいと、無線リンクの信頼性を０に決定することを特徴としてもよい。
【００３２】
前記無線リンクの品質は、信号対干渉比であることを特徴としてもよい。
【００３３】
前記各無線リンクの信頼性は、各無線リンクのＴＰＣ命令値であることを特徴としてもよい。
【００３４】
前記無線リンクの品質によって信頼性を決定する段階は、全ての無線リンクセットの各無線リンクの信頼性が決定されるまで繰り返して行われることを特徴としてもよい。
【００３５】
前記結合されたＴＰＣ命令値を設定する段階は、全ての無線リンクセットの各無線リンクの信頼性が全て１であると、結合されたＴＰＣ命令値を１に設定する段階を更に包含することを特徴としてもよい。
【００３６】
前記結合されたＴＰＣ命令値を設定する段階は、全ての無線リンクセットの各無線リンクの信頼性が何れか一つでも０であると、結合されたＴＰＣ命令値を−１に設定する段階を更に包含することを特徴としてもよい。
【００３７】
本発明の無線リンクの電力制御方法は、端末の送信電力を制御する移動通信システムであって、無線リンクの品質を測定する段階と、測定された無線リンクの品質によって各無線リンクの信頼性を決定する段階と、全ての無線リンクセットの各無線リンクの信頼性が決定されるまで前記二つの段階を繰り返して行う段階と、設定された全ての各無線リンクの信頼性の結果によって結合されたＴＰＣ命令値を決定する段階と、を順次行うことを特徴とし、それにより上記目的が達成される。
【００３８】
前記無線リンクの品質は、信号対干渉比であることを特徴としてもよい。
【００３９】
前記無線リンクの信頼性は、各無線リンクのＴＰＣ命令値であることを特徴としてもよい。
【００４０】
前記無線リンクの品質によって各無線リンクの信頼性を決定する段階は、測定された無線リンクの品質と任意の基準値とを比較する段階と、前記比較結果によって無線リンクの信頼性を決定する段階と、からなることを特徴としてもよい。
【００４１】
前記無線リンクの信頼性は、前記無線リンクの品質が任意の基準値より大きい場合１であることを特徴としてもよい。
【００４２】
前記無線リンクの信頼性は、前記無線リンクの品質が任意の基準値より小さい場合０であることを特徴としてもよい。
【００４３】
前記結合されたＴＰＣ命令値は、設定された全ての無線リンクセットの各無線リンクの信頼性が全て１の場合、１に決定されることを特徴としてもよい。
【００４４】
前記結合されたＴＰＣ命令値は、全ての無線リンクセットの各無線リンクに対し、何れか一つの無線リンクでもその信頼性が０の場合、−１に決定されることを特徴としてもよい。
【発明の効果】
【００４５】
以上説明したように、本発明に係る無線リンクの電力制御方法においては、ソフトハンドオーバー時に端末機の送信電力を制御するため、他の無線リンクセットからの各無線リンクのＴＰＣ命令を信頼性を有するように決定及び結合することで、無線リンクの電力制御を適切に行い得るという効果がある。
【００４６】
また、前記ＴＰＣ命令を結合する前に、まず、各無線リンクの品質を調査した後、該品質の結果に基づいて各無線リンクの信頼性を調査することで、ＣＰＩＣＨの品質低下によるＴＰＣ命令の信頼度低下を防止し得るという効果がある。
【００４７】
また、理論的条件のみ明示されたＴＰＣ命令の結合方法に対し実際具現可能な実施例を提示することで、以後ソフトハンドオーバー時のＴＰＣ命令の結合方法に関する技術開発の指針となり得るという効果がある。
【発明を実施するための最良の形態】
【００４８】
３ＧＰＰ  ＴＳ  ２５．２１４  Ｖ３．７．０（２００１−０６）の５．１．２．２．２及び５．１．２．２．３にその条件のみが明示される、ソフトハンドオーバー時の端末の送信電力の制御において、他の無線リンクセットからのＴＰＣ命令を決定する過程におけるＴＰＣ命令処理に対し、本発明は、各無線リンクセットからのＴＰＣ命令を実際に具現し得る信頼性の決定方法、及びＴＰＣ命令の結合方法を提示する。
【００４９】
以下、本発明の実施の形態に対し、図面に基づいて説明する。
【００５０】
図１は、本発明に適用される既存のレイク受信機（ｒａｋｅ  ｒｅｃｅｉｖｅｒ）の構造を示したブロック図で、図示されたように、本発明に適用されるレイク受信機においては、ＳＲＲＣ（Ｓｑｕａｒｅ  Ｒｏｏｔ  Ｒａｉｓｅｄ  Ｃｏｓｉｎｅ）フィルタ１０と、フィンガー２０と、時間補償バッファ３０と、結合部４０と、から構成されている。
【００５１】
前記ＳＲＲＣフィルタ１０は、アナログ／デジタル変換器から出力された信号の入力を受けてＳＲＲＣフィルタリングを行う。よって、受信された信号のシンボル間の干渉なしに信号を検出するようになる。
【００５２】
また、前記フィンガー２０は、複数２１〜２４から構成されるが（現在は、通常四つ以上のフィンガーを使用する）、多重経路を通して入力される各ＳＲＲＣフィルタ１０の出力信号を別個に分離し、各経路毎に復調して出力する。よって、各フィンガー２１〜２４別に追跡ループ、データ復調器、周波数エラー追跡回路、信号サイズ調整回路及び関連制御回路が包含して構成される。且つ、各フィンガー２１〜２４は、各無線リンクのＣＰＩＣＨをトラッキング（ｔｒａｃｋｉｎｇ）する。
【００５３】
前記フィンガー２０の出力に対し時間差を調節して出力する役割をする部分が時間補償バッファ３０であるが、該時間補償バッファ３０は、各フィンガー２１〜２４による追跡結果の出力間に存在する時間差の問題を解決するため、時間差を調節し得るように別に各出力毎に追加された部分である。
【００５４】
また、前記結合部４０は、前記時間補償バッファ３０の出力を結合してチャンネルデコーダに出力する役割を遂行する。
【００５５】
多重経路フェーディングチャンネルを通過して受信された信号は、振幅及び位相が相互異なる各経路の成分をまとめた形態ということができる。本発明に係るレイク受信機（ｒａｋｅ  ｒｅｃｅｉｖｅｒ）は、このような多重経路の電力成分をできるだけ失うことなく統合的に復調に参与させることで、図１に示したように並列状の複数のフィンガーを具現し、レイク受信機の出力は結合部４０を通して伝達するようになっている。
【００５６】
図２は、本発明に係る無線リンクの電力制御方法の過程を示したフローチャートで、図示されたように、本発明に係る無線リンクの電力制御方法においては、まず、品質によって無線リンクの信頼性を判断する（Ｓ１）。該信頼性の判断は、各無線リンクの品質、即ち、信号対雑音比をチェックして、予め設定された任意の基準値と比較することである。
【００５７】
次いで、前記段階（Ｓ１）で判断された結果によって無線リンクの信頼性を決定し（Ｓ２）、該決定される無線リンクの信頼性は０または１に区分する。
【００５８】
全ての無線リンクに対し信頼性の判断及び決定が終了すると、その結果によって結合されたＴＰＣ命令値を設定する（Ｓ３）。即ち、各無線リンクからの各電力制御命令に対し結合されたＴＰＣ命令を決定することで、端末の送信電力を制御する。
【００５９】
図３は、本発明に係る無線リンクからのＴＰＣ命令結合方法の順序を示したフローチャートで、本発明に係るＴＰＣ命令結合方法は、フィンガー毎に各無線リンクｒｌ＿ｉｄｘの品質をチェックし、該チェックされた品質値と予め設定された臨界値（Ｔｈｒｅｓｈｏｌｄ  ｖａｌｕｅ）とを比較した後、各無線リンクのＴＰＣ命令値を決定する第１段階Ｓ１０〜Ｓ６０と、前記各無線リンクのＴＰＣ命令値が全て１であるかどうかを判別して、結合されたＴＰＣ命令値ＴＰＣ＿ｃｍｄを決定する第２段階Ｓ７０〜Ｓ９０と、からなる。
【００６０】
即ち、図３に示したように、前記第１段階では、まず、無線リンクの品質を測定し（Ｓ１０）、該測定された無線リンクの品質を予め設定された臨界値と比較する（Ｓ２０）。次いで、無線リンクの品質が臨界値より大きいと無線リンクの信頼性を１に決定し（Ｓ３０）、無線リンクの品質が臨界値より小さいと無線リンクの信頼性を０に決定する（Ｓ４０）。
【００６１】
その後、全ての無線リンクの品質測定が終了したかを確認する（Ｓ５０）。全ての無線リンクの品質測定が終了されたとき第２段階に進行し、終了されていないとき再び無線リンクの品質を測定する最初の段階に戻る（Ｓ６０）。
【００６２】
次いで、前記第２段階では、前記第１段階で算出された各無線リンクの信頼性が全て１であるかを確認する（Ｓ７０）。前記第１段階で算出された各無線リンクの信頼性が全て１の場合、結合されたＴＰＣ命令値を１に設定し（Ｓ８０）、前記第１段階で算出された各無線リンクの信頼性が一つでも１でないと、結合されたＴＰＣ命令値を−１に設定する（Ｓ９０）。
【００６３】
以下、本発明に係る移動通信システムにおける無線リンクからのＴＰＣ命令結合方法に対しより詳しく説明する。
【００６４】
即ち、ＴＰＣ命令を結合する前に、まず、アナログ／デジタル変換器から入力されてＳＲＲＣフィルタリングを経て出力される信号に対し、複数のフィンガーは、各無線リンクの品質を調査して各無線リンクの信頼性を調査するため、前記各無線リンクの品質を示す、即ち、現在各無線リンクのＣＰＩＣＨをトラッキングしているフィンガーからの信号対干渉比（Ｓｉｇｎａｌ  ｔｏ  Ｉｎｔｅｒｆｅｒｅｎｃｅ  Ｒａｔｉｏ；ＳＩＲ）のＥｂ／Ｎｏを測定する（Ｓ１０）。次いで、該測定されたＥｂ／Ｎｏの大きさを予め設定された臨界値の大きさと比較するが、前記臨界値は、良い品質の無線リンクと良くない品質の無線リンクとを区分し得る基準値に設定する。このとき、チャンネル状態が良好な場合、信号対干渉比が大きい値であると該当のチャンネルの無線リンクは干渉の少ない良い品質の無線リンクであり、信号対干渉比が小さい値であると該当のチャンネルの無線リンクは干渉の多い良くない品質の無線リンクであるため、前記段階を経由することで無線リンクの品質を判別することができる（Ｓ２０）。
【００６５】
前記Ｅｂ／Ｎｏの大きさが臨界値より大きいと、各無線リンクの信頼性は１になる。即ち、チャンネル状態が良好なとき、結局、信頼性がある場合は、端末機に受信される無線リンクのＣＰＩＣＨの値が臨界値より大きいため、その無線リンクは良い品質を有すると判断して復調化されたＴＰＣ命令を使用する（Ｓ３０）。
【００６６】
逆に、前記Ｅｂ／Ｎｏの大きさが臨界値より小さいと、各無線リンクの信頼性は０になる。即ち、チャンネル状態が良好な場合、端末機に受信される無線リンクのＣＰＩＣＨの値が臨界値より小さいため、その無線リンクは良くない品質を有すると判断してＴＰＣ命令を以前に決定された値に代替する（Ｓ４０）。
【００６７】
次いで、全ての無線リンクに対する品質調査が終了したかを確認する（Ｓ５０）。該段階は以後行われる全ての無線リンクの品質調査の結果によるＴＰＣ命令を決定するためのもので、全ての無線リンクに対する品質調査が未だ終了していないと、全ての無線リンクに対する品質調査が終了するまで第１段階（Ｓ１０〜Ｓ６０）を繰り返して行うために最初の段階に戻る（Ｓ６０）。全ての無線リンクに対する品質調査が終了していると、各無線リンクの信頼性、即ち、各無線リンクのＴＰＣ命令が全て１であるかを確認する（Ｓ７０）。各無線リンク中一つでも信頼性が１でなく０であると、即ち、各無線リンクのＴＰＣ命令が一つでも１でなく０であると、結合されたＴＰＣ命令は−１に決定される（Ｓ９０）。反面、全ての無線リンクの信頼性が１であると、結合されたＴＰＣ命令は１に決定される（Ｓ８０）。
【００６８】
ここで、結合されたＴＰＣ命令を１に決定するということは、現在の端末機の送信電力を単位電力の大きさだけ上げるようにするということで、結合されたＴＰＣ命令を−１に決定するということは、現在の端末機の送信電力を単位電力の大きさだけ下げるようにするということである。
【００６９】
このような端末機の送信電力は、下記式により求めることができる。
【００７０】
送信電力Ｎ＝送信電力Ｎ−１＋（ＴＰＣ＿ｃｍｄ＊ｕｎｉｔ  ｐｏｗｅｒ  ｓｉｚｅ）
よって、単位の大きさだけ、例えば、単位の大きさが１ｄＢｍであると、１ｄＢｍだけ送信電力を変更するように決定することで、結合されたＴＰＣ命令が１値を有すると送信電力が単位の大きさの１ｄＢｍだけ上がるようになり、−１値を有すると送信電力が１ｄＢｍだけ下がるようになって、結果的には、信頼度によって調節されるＴＰＣ命令を使用することで、端末機の送信電力を制御するアップリンク電力制御を適切に調節するものである。
【００７１】
前述したように、本発明に係る無線リンクの電力制御方法においては、ＴＰＣ命令の信頼度によって端末機の送信電力を制御し得る。且つ、前記送信電力は信頼度に比例して変更されるが、このとき、関与する単位電力の大きさは任意に設定／制限することができる。
【００７２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００７３】
【図１】本発明に適用される既存のレイク受信機（ｒａｋｅ  ｒｅｃｅｉｖｅｒ）の構成を示したブロック図である。
【図２】本発明に係る無線リンクの電力制御方法の概略的過程を示したフローチャートである。
【図３】本発明に係る無線リンクからのＴＰＣ命令結合方法の順序を示したフローチャートである。
【図４】３ＧＰＰ無線接続網規格に基づいて動作される端末とＵＴＲＡＮ間で使用される無線接続プロトコル構造を示したブロック図である。
【図５】ダウンリンクＤＰＣＨフレームを示した構成図である。
【符号の説明】
【００７４】
１０  ＳＲＲＣフィルタ
２０  フィンガー
２１  フィンガー
２２  フィンガー
２３  フィンガー
２４  フィンガー
３０  時間補償バッファ
４０  結合部
【図１】
2004215260.tif 000003
【図２】
2004215260.tif 000004
【図３】
2004215260.tif 000005
【図４】
2004215260.tif 000006
【図５】
2004215260.tif 000007